(57)【要約】【課題】釣糸放出時にスプールの前フランジ部分で釣糸に与える抵抗を軽減することが可能な魚釣用スピニングリールのスプールを提供する。【解決手段】本発明のスプール１０は、釣糸が巻回される釣糸巻回胴部２０と、釣糸巻回胴部２０の糸巻量を規定する前フランジ部３０及び後フランジ部４０と、を備えている。そして、前フランジ部３０の径方向外端に、前後方向に延びる外周面３２を形成し、外周面上３２の前方側に、径方向外方に表面が突出する凸状部３１ｂを設け設け、外周面３２は、放出される釣糸が表面接触することがないように凸状部との間で隙間Ｒを生じさせることを特徴とする。【選択図】  図３
2020062055.tif 000002
【特許請求の範囲】
【請求項１】
釣糸が巻回される釣糸巻回胴部と、釣糸巻回胴部の糸巻量を規定する前フランジ部及び後フランジ部と、を備え、
前記前フランジ部の径方向外端に、前後方向に延びる外周面を形成し、
前記外周面上の前方側に、径方向外方に表面が突出する凸状部を設け、
前記外周面は、放出される釣糸が表面接触することがないように前記凸状部との間で隙間を生じさせることを特徴とする魚釣用スピニングリールのスプール。
【請求項２】
前記凸状部は、前記外周面に別体として取着されるリング状部材で構成されることを特徴とする請求項１に記載の魚釣用スピニングリールのスプール。
【請求項３】
前記釣糸巻回胴部に巻回される釣糸を規制する内壁面の上端位置で前方側に屈曲する変曲点をＰ１，前記凸状部の最大膨出位置をＰ２，前記凸状部の前記外周面に対する膨出基端位置をＰ３とし、前記Ｐ１，Ｐ２間の前後方向長さをＬ１、前記Ｐ２，Ｐ３間の前後方向長さをＬ２とした場合、
前記Ｌ２は、Ｌ１の４５〜７５％の範囲としたことを特徴とする請求項１又は２に記載の魚釣用スピニングリールのスプール。
【請求項４】
前記凸状部の最大膨出位置をＰ２，前記凸状部の前記外周面に対する膨出基端位置をＰ３とし、前記Ｐ２，Ｐ３間の前後方向長さをＬ２、前記Ｐ２，Ｐ３間の径方向高さをＨとした場合、Ｌ２≧Ｈとしたことを特徴とする請求項１から３のいずれか１項に記載の魚釣用スピニングリールのスプール。
【請求項５】
請求項１から４のいずれか１項に記載されたスプールを装着したことを特徴とする魚釣用スピニングリール。
【発明の詳細な説明】
【技術分野】
【０００１】
本発明は、釣糸を巻回保持する魚釣用スピニングリールのスプール及び魚釣用スピニングリールに関する。
【背景技術】
【０００２】
魚釣用スピニングリールは、釣糸をピックアップするベールを釣糸放出状態にして釣糸を放出する構造である。スプールは、釣糸が巻回される巻回胴部と、釣糸の巻回量を前方側で規定する前フランジ部と、後方側で規定する後フランジ部（スカート部とも称する）と備えており、釣糸を放出する場合、釣糸は前フランジ部の外周縁に接触して抵抗を受けながらスパイラル状に前方に放出される。
【０００３】
前記スプールは、軽量化を図るために、アルミニウム合金やマグネシウム合金、或いは合成樹脂材等で形成されているが、前フランジ部の少なくとも外周縁部には、釣糸放出時の接触による摩耗や釣糸の傷付きを防止するために、例えば、特許文献１及び２に開示されているように、耐摩耗性を有する別体のリング状部材が取着されている。
【先行技術文献】
【特許文献】
【０００４】
【特許文献１】特開２０１４−１２１２７９号
【特許文献２】特開２００２−２０４６４０号
【発明の概要】
【発明が解決しようとする課題】
【０００５】
上記した従来のリング状部材は、前フランジ部の外周縁部から、上部前方に向けて釣糸摺接案内面が連続するように接合固定されている。
ところで、上記したリング状部材は、釣糸放出操作時に、釣糸巻回胴部に巻回された釣糸が常時接触するというものではない。すなわち、釣糸巻回胴部の略中央から後方側（スカート側）の釣糸は、径方向外方に膨出して支障なく解かれながら前方に放出されることから、リング状部材の外周面への接触は殆どなく繰り出される。
これに対して、前フランジ部の近傍付近の釣糸は、リング状部材の内側（釣糸巻回胴部側）の壁面から上方側に接触した状態で上昇案内されながら前方に放出されるため、接触抵抗を受けてしまい、これが飛距離を伸ばせない要因となっている。
【０００６】
また、これにより前フランジ部近傍に巻回されている釣糸の繰り出し方向の解かれ状態が悪くなり、高速で放出される釣糸が、スプール上の前の釣糸をスプール外にはじき出してしまう現象、いわゆるバックラッシュ現象が発生してしまう。実際にバックラッシュが発生してしまうと、それを解く手間がかかると共に、釣糸にダメージを与えて糸絡みし易くなり、更には、釣糸同士が食い込んでしまって釣糸が切断する等のトラブル発生の可能性がある。
【０００７】
本発明は、上記した問題に着目してなされたものであり、釣糸放出時にスプールの前フランジ部分で釣糸に与える抵抗を軽減することが可能な魚釣用スピニングリールのスプール及び魚釣用スピニングリールを提供することを目的とする。
【課題を解決するための手段】
【０００８】
上記した目的を達成するために、本発明に係る魚釣用スピニングリールのスプールは、釣糸が巻回される釣糸巻回胴部と、釣糸巻回胴部の糸巻量を規定する前フランジ部及び後フランジ部と、を備え、前記前フランジ部の径方向外端に、前後方向に延びる外周面を形成し、前記外周面上の前方側に、径方向外方に表面が突出する凸状部を設け、前記外周面は、放出される釣糸が表面接触することがないように前記凸状部との間で隙間を生じさせることを特徴とする。
【０００９】
上記した構成のスプールは、釣糸巻回胴部に巻回された釣糸の前方側を規定する前フランジ部の径方向外端に前後方向に延びる外周面が形成されており、その前方側に径方向外方に表面が突出する凸状部を設けたことで、釣糸巻回胴部から放出されるときの釣糸は、釣糸を規制する前フランジ部の径方向に沿って延びる内壁面から離れた後、前後方向に延びる外周面に摺接することなく前記凸状部に接触し、その凸状部に摺接して前方に移動するようになる。すなわち、前フランジ部の外周領域において、前方に放出される釣糸に対する接触面積が減るため、可及的に放出抵抗の軽減が図れるようになる。このように、釣糸放出時に、釣糸に対する抵抗が減ることで、飛距離が低下することが抑制されるとともに、巻回状態にある釣糸は安定して放出されるため、バックラッシュの発生を抑制することが可能となる。
【００１０】
そして、本発明は、上記したような前フランジ部を備えたスプールを装着した魚釣用スピニングリールであることを特徴とする。
【発明の効果】
【００１１】
本発明によれば、釣糸放出時にスプールの前フランジ部分で釣糸に与える抵抗を軽減することが可能なスプール及びそのような機能を有するスプールを備えた魚釣用スピニングリールが得られる。
【図面の簡単な説明】
【００１２】
【図１】本発明の一実施形態に係るスプールを装着した魚釣用スピニングリールの一構成例を示す図。
【図２】図１に示したスプールの拡大図。
【図３】図２に示すスプールの前フランジ部の領域を拡大した図であり、釣糸の摺動状態を模式的に示した図。
【図４】図３と対比する図であり、従来型のスプールの前フランジ部の領域を拡大した図であり、釣糸の摺動状態を模式的に示した図。
【発明を実施するための形態】
【００１３】
以下、本発明に係る魚釣用スピニングリールのスプール、及び、そのようなスプールを装着した魚釣用スピニングリールの実施形態について図面を参照しながら具体的に説明する。
図１は、本発明の一実施形態に係るスプールを装着した魚釣用スピニングリールの一構成例を示す図であり、図２は、図１に示す魚釣用スピニングリールに装着されたスプールを拡大して示す図である。
【００１４】
最初に、魚釣用スピニングリールの全体構成の概略について説明する。
なお、本発明において、前後方向とは、図２で示すように、スプール１０のスプール軸の軸線Ｘに沿った方向を意味し、リール本体側が後方となる。また、径方向とは、軸線Ｘに対して直交する方向を意味する。図２は、スプールの軸線Ｘ（スプール軸の軸芯）に沿った断面図を示しており、スプールは３６０°に亘って同一の断面形状となっている。
【００１５】
魚釣用スピニングリールを構成するリール本体１は、釣竿に装着されるリール脚１ａを備えており、その前方には回転可能に支持されたロータ５と、ロータ５の回転運動と同期して前後動可能に支持され、釣糸が巻回されるスプール１０が配設されている。
【００１６】
前記リール本体１内には、ハンドル軸７ａが回転可能に支持されており、その突出端部にはハンドル７が取り付けられている。また、ハンドル軸７ａには、巻取り駆動機構が係合している。巻取り駆動機構は、公知のように、ハンドル軸に取り付けられ、内歯が形成されたドライブギア（駆動歯車）８と、このドライブギア８に噛合すると共にハンドル軸５ａと直交する方向に延出し、内部に軸方向に延出する空洞部が形成されたピニオンギアとを備えている。
【００１７】
前記ピニオンギアには、前記スプール１０を回転可能に支持するスプール軸が軸方向に前後動可能に挿通されている。このスプール軸の後方側には、公知のオシレート機構が係合しており、ハンドル７を回転操作すると、オシレート機構及びスプール軸を介してスプール１０は前後に往復動される。また、前記ピニオンギアの前方側には、ロータナットを締め付けることで、前記ロータ５がピニオンギアに対して固定されている。これにより、ハンドル７を巻き取り操作することで、ロータ５が回転すると共に、この回転と同期してスプール３は前後に往復動され、釣糸は、ロータ５と共に回転する釣糸案内装置５Ａを介してスプール１０に巻回される。
【００１８】
次に、上記したスプール１０の構成について説明する。
スプール１０は、アルミニウム、アルミニウム合金、マグネシウム合金等の比重の軽い金属、或いは、合成樹脂材等で形成されており、釣糸が巻回される釣糸巻回胴部２０と、釣糸巻回胴部２０の糸巻量を前後方向で規定する前フランジ部３０及び後フランジ部（スカート部）４０とを有している。釣糸巻回胴部２０の表面には、図２に示すように釣糸Ｓが巻回されている。この場合、上述したように、スプール１０に対して釣糸が巻回されるときは、ハンドル７の巻き取り方向の回転操作によってスプール１０が前後方向に往復駆動され、その周りでロータ５と共に釣糸案内装置５Ａが回転することから、釣糸巻回胴部２０には、略均等に釣糸Ｓが巻回される。図２では、釣糸Ｓが釣糸巻回胴部２０に対して略均等に巻回された状態を示しており、前後方向両側で前フランジ部３０及び後フランジ部４０で回転状態が規制されることから、各フランジ部の径方向の高さによって、釣糸の巻回量が決定される（点線で示すラインＳＷが最大巻回量となる）。なお、サーフ仕様等、仕掛けを遠投する魚釣用スピニングリールでは、図２に示すように、前フランジ部３０及び後フランジ部４０の高さが低く釣糸巻回胴部２０の前後方向が長い、いわゆる浅溝タイプのスプールとなる。
【００１９】
前記前フランジ部３０には、スプールとは別体のリング状部材３１が取着されている。このリング状部材３１は、放出される釣糸が接触することによってスプール部分に摩耗が生じたり、釣糸の傷付きを防止するためのものであり、ステンレス合金、チタン合金等の硬質金属、アルミニウムやアルミニウム合金、或いは、セラミックス等によって形成されている。
【００２０】
ここで、図３を併せて参照し、前フランジ部３０、及び、前フランジ部に取着されるリング状部材の構成について説明する。
【００２１】
リング状部材３１は、前フランジ部３０の外周面３２上の前方側に取着されている。前記外周面３２は、前フランジ部３０の径方向外端に設けられており、前後方向に沿って一定の長さを備えている。すなわち、外周面３２は、前記フランジ部３０を構成するものであり、釣糸巻回胴部２０に巻回される釣糸が当て付く前フランジ部の内壁面３２ａの上端位置において、前方側に向けて延びる輪帯状の環状の面である。このため、外周面３２と内壁面３２ａとの間には内壁面３２ａの表面が変化する変曲点Ｐ１が存在している。この変曲点Ｐ１は、釣糸放出時において、内壁面３２ａに接触している釣糸が前方に移動する際に離間する位置となる。
【００２２】
前記外周面３２は、例えば、軸線Ｘと平行な面、軸線Ｘに対して傾斜する面、軸線Ｘに沿うような湾曲面で構成することが可能であるが、リング状部材３１の外表面（凸状部３１ｂ）との間で隙間Ｒを生じさせるものであれば良い。本実施形態では、図３に示すように、軸線Ｘ（軸線Ｘと平行な面Ｘ１）に沿って前方側に向けて次第に上昇する略平坦面で構成されている。
【００２３】
前記外周面３２に取着されるリング状部材３１は、内面側の中間部分に形成された環状突起３１ａと、外面側に形成されて表面が膨出する凸状部（面）３１ｂとを備えている。このリング状部材３１は、前記環状突起３１ａを外周面３２の前端縁３２ｂに当て付け、前方側から保持部材３５を嵌め込み、保持部材の円筒部３５ａに形成された雌ネジ部３５ｂを、釣糸巻回胴部２０の環状本体２０ａに形成された雄ネジ部２０ｂに螺合することで、前端縁３２ｂと保持部材３５との間で挟み込まれて固定される。
【００２４】
前記リング状部材３１の凸状部（面）３１ｂの表面は、その断面形状が、前方に移行するに従って上昇するとともに最大膨出位置Ｐ２を備えている。すなわち、本実施形態における隙間Ｒを生じさせる凸状部（面）３１ｂは、前記外周面３２の表面に対する膨出基端位置Ｐ３から最大膨出位置Ｐ２まで湾曲状に上昇しながら膨出するような形状となっており、これはスプールの前フランジ部に取着されるリング状部材３１によって構成される。
【００２５】
前フランジ部３０に上記したような構成のリング状部材３１を取着することで、前記変曲点Ｐ１と膨出基端位置Ｐ３との間には、以下に説明するように、放出される釣糸が表面接触することのない前記隙間Ｒが形成される。具体的には、釣糸案内装置５Ａを備えたベールを釣糸放出位置に回動して釣糸との係合状態を解除し、釣竿をキャスティングすることで釣糸を放出する際、釣糸巻回胴部２０に巻回された釣糸は、解かれながらスパイラル状に放出される。上述したように、前フランジ部３０の近傍付近の釣糸は、リング状部材の表面に接触した状態で上昇案内されながら前方に放出されるため、接触抵抗を受けてしまい、これが飛距離を低下させる要因となっている。本発明では、前フランジ部３０にリング状部材３１を取着するにあたり、上記したような隙間Ｒが形成されるように外周面３２を設けたことで、釣糸に対する接触抵抗を可及的に減少するように構成している。
【００２６】
以下、この作用について、本実施形態の構成を示す図３、及び、従来のリング状部材を取着した構成を示す図４を比較しながら説明する。なお、釣糸は、釣糸巻回胴部２０に対する巻回状態を解きながら放出されることから、リング状部材に対しては、回転しながら接触しつつ前方に移行する（スパイラル状に上昇する）が、図３及び図４では、釣糸の挙動をわかりやすくするため、１つの断面内で釣糸の移行状態を示している。
【００２７】
図３に示すように、本実施形態では、前フランジ部３０の内壁面３２ａ（変曲点Ｐ１）を離れた釣糸Ｓ１は、隙間Ｒ部分で摩擦抵抗を受けることなく前方に向けて移動し、リング状部材３１の凸状部３１ｂに接触し（Ｓ２）、その表面を上昇しながら最大膨出部Ｐ２の位置で離れる（Ｓ３）。
【００２８】
これに対し、図４で示す従来のリング状部材３１Ａは、フランジ部３０Ａの内壁面３２ａを離れた釣糸Ｓ１は、直ちにその表面３１ｂ´に接触し（Ｓ２）、そのまま上昇しながら移動して最大膨出部Ｐ２で離れることから、図３で示す構成と比較すると、接触（Ｓ２）から離間（Ｓ３）するまでの釣糸に対する摩擦抵抗力が大きくなり、仕掛けの飛距離が伸びない。
【００２９】
すなわち、本発明では、前フランジ部３０の径方向外端に、前後方向に延びる外周面３２を形成し、この部分の前方側に、径方向外方に表面が突出する凸状部（リング状部材３１の凸状部３１ｂ）を設けたことにより、放出時に釣糸が接触する領域を減らすことができ、これによって釣糸に対する接触抵抗の軽減が図れ、仕掛けの飛距離を伸ばすことが可能となる。
【００３０】
また、釣糸に対する接触抵抗が軽減されることから、前フランジ部近傍に巻回されている釣糸の繰り出し方向の解かれ状態が良好になるため、高速で放出される釣糸が、スプール上の前の釣糸をスプール外にはじき出すこと（バックラッシュ現象）を抑制できるため、釣糸にダメージを与えることなく、糸絡みもし難くなる。
【００３１】
次に、図３に示した構成において、リング状部材３１のより好ましい構成について説明する。
上述したように、フランジ部３０の内壁面３２ａの上端位置で前方側に屈曲する変曲点をＰ１，凸状部３１ｂの最大膨出位置をＰ２，凸状部３１ｂの外周面３２に対する膨出基端位置をＰ３とし、Ｐ１，Ｐ２間の前後方向長さをＬ１、Ｐ２，Ｐ３間の前後方向長さをＬ２とした場合、Ｌ２は、Ｌ１の４５〜７５％の範囲にすることが好ましい。
【００３２】
前記Ｌ２は、リング状部材３１の前後方向の略肉厚に対応しており、これが余り薄すぎると、釣糸が損傷する虞れがあることから、前記Ｌ１に対して、少なくとも２０％以上確保されていることが好ましい（薄く構成した方が、上記した隙間Ｒを広く確保できるが、強度的に好ましくない）。逆に、前記Ｌ２が余り厚すぎると、十分な隙間Ｒが形成されなくなるため、前記Ｌ１に対して、少なくとも７５％以下であることが好ましい。これは、スプール１０に対してある程度、径の太い釣糸が巻回されても、７５％以下であれば、釣糸の接触を効果的に防止する隙間Ｒを確保することが可能となる。
【００３３】
また、リング状部材３１については、その径方向高さを低くすることで、放出角度θを緩くすることができ、釣糸に対する接触抵抗を可及的に軽減することが可能となる。具体的には、最大膨出位置Ｐ２における径方向高さ（前記Ｐ２，Ｐ３間の径方向高さ）をＨとした場合、リング状部材３１の略前後方向の長さ（Ｐ２，Ｐ３間の前後方向長さＬ２）以下に設定する（Ｌ２≧Ｈ）とすることが好ましい。このような寸法関係は、リング状部材が扁平状になることから固定状態も安定するとともに、膨出量を抑制して前記放出角度θを緩くすることが可能となり、効果的に釣糸に対する接触抵抗を軽減することが可能となる。
【００３４】
以上、本発明の実施形態について説明したが、本発明は、上記した実施形態に限定されることはなく、種々変形することが可能である。
上記した構成において、リング状部材３１の取着構造については適宜変形することが可能である。また、本実施形態における凸状部３１ｂは湾曲面で構成されていたが、平坦面で前方に向けて次第に上昇する形状であっても良いし、凹形状で次第に上昇する形状、あるいは、これらの複合構造であっても良い。すなわち、本発明では、前フランジ部３０の径方向外端に、前後方向に延びる外周面３２が形成されていれば、そこの前方側に取着されるリング状部材３１の断面形状については適宜変形することが可能である。
【００３５】
また、上記した構成では、リング状部材３１は、スプールと別体として構成したが、スプールとともに一体形成（例えば、アルミニウムやアルミニウム合金、合成樹脂材による一体形成）されていても良い。更に、魚釣用スピニングリール、及び、スプールについては、対象魚や釣法等に応じて、その形状や材質など、適宜変形することが可能であり、例えば、深溝タイプのスプールとして構成しても良い。
【符号の説明】
【００３６】
１  リール本体
５  ロータ
１０  スプール
２０  釣糸巻回胴部
３０  前フランジ部
３１  リング状部材
３１ｂ  凸状部
３２  外周面
４０  後フランジ部
【図１】
2020062055.tif 000003
【図２】
2020062055.tif 000004
【図３】
2020062055.tif 000005
【図４】
2020062055.tif 000006